(57)【要約】  乳児用よだれかけは、乳児の首を受入れるための開口部がその上方に形成されるプラスチック材料の本体部分（２）を含み、本体部分（２）の裏面はエンボス加工されて、乳児の皮膚との接触に対する浮き彫り（１４）の領域を提供する。よだれかけは、巻上げることができかつ小型の状態で保持できる軟質プラスチック材料であることが好ましい。
2005513285.tif 000002
【特許請求の範囲】
【請求項１】
乳児用よだれかけであって、乳児の首を受入れるための開口部（８）がその上方に形成されるプラスチック材料の本体部分（２）を含み、
前記本体部分（２）の裏面はエンボス加工されて、乳児の皮膚との接触に対する浮き彫り（１４）の領域を提供することを特徴とする、乳児用よだれかけ。
【請求項２】
前記浮き彫りの領域は、前記本体部分（２）の裏面にわたって対称的に配置される複数の突起（１４）を含む、請求項１に記載のよだれかけ。
【請求項３】
前記よだれかけは、前記浮き彫り（１４）の領域がそこに一体成形される軟質プラスチック材料の成形シートを含む、請求項１または２に記載のよだれかけ。
【請求項４】
本体部分（２）、および前記本体部分（２）の対向する側から延在して乳児の首を受入れるための開口部（８）を規定するストラップ（４，６）の対を含む軟質プラスチック材料の薄い成形シートを含み、共働留め手段（１０，１２）が前記ストラップ（４，６）の端部にまたはそれに隣接して設けられて、よだれかけを乳児の首のまわりに調整可能に留めることを可能にし、補助の留め手段（１６）が前記開口部（８）に隣接して前記本体部分（２）内またはその上に形成され、これによって、前記本体部分（２）を巻上げたときに、前記ストラップ（４，６）上の前記留め手段（１０）は、前記本体部分（２）上の前記補助の留め手段（１６）と共働して、巻上げられた状態でよだれかけを保持する、請求項１から３のいずれかに記載のよだれかけ。
【請求項５】
前記ストラップ（４，６）上の前記留め手段は、他方のストラップ（６，４）の複数の対応する開口部（１２）のどれか１つに受入れられるように適合される留め具（１０）を前記ストラップ（４，６）の一方の上に含み、前記補助の留め手段は、前記本体部分（２）が巻上げられた状態で前記留め具（１０）を受入れるように適合される開口部（１６）を前記本体部分（２）に含む、請求項４に記載のよだれかけ。
【発明の詳細な説明】
【技術分野】
【０００１】
この発明は、乳児用のよだれかけに関し、特に、プラスチックのそのようなよだれかけに関する。
【背景技術】
【０００２】
発明の背景
食事のときに乳児が着用するよだれかけが乳児の胸に直接接触することは珍しいことではない。
【０００３】
よだれかけがプラスチックの場合、よだれかけのプラスチックによって乳児の皮膚が刺激される可能性がある。または、場合によっては、よだれかけのプラスチックに対するアレルギー反応が起り得る。そのような反応は、よだれかけの裏側と乳児の体との界面の皮膚の汗によって強まることがある。
【０００４】
温暖な気象状態および湿度の高い地域では、この影響は悪化する。
【発明の開示】
【発明が解決しようとする課題】
【０００５】
現在では、ある軟質プラスチックまたは熱可塑性エラストマー材料に含まれる高いレベルのタンパク質が一部のアレルギー反応の原因であり得ると考えられており、皮膚がこれらの材料と接触する結果として起る、そのような反応の可能性を制限または低減するための努力がなされている。
【課題を解決するための手段】
【０００６】
発明の概要
この発明によると、乳児の首を受入れる開口部がその上方に形成されるプラスチック材料の本体部分を含み、本体部分の裏面がエンボス加工されて乳児の皮膚との接触に対する浮き彫りの領域を提供することを特徴とする乳児用のよだれかけが提供される。
【０００７】
そのような配置は、よだれかけと赤ん坊の皮膚との接触面積を低減し、よだれかけと皮膚との間で空気の流れを可能にすることによって、汗が発生する可能性を低減することが理解されるであろう。
【０００８】
浮き彫りの領域は、本体部分の裏面にわたって対称的に配置される複数の突起を含んでもよい。
【０００９】
よだれかけは、浮き彫りの領域がそこに一体成形される軟質プラスチック材料の成形シートを含むと都合がよい。
【００１０】
この発明の好ましい実施例では、乳児用のよだれかけは、本体部分、および本体部分の対向する側から延在して乳児の首を受入れる開口部を規定するストラップの対を含む軟質プラスチック材料の薄い成形シートであり、共働留め手段がストラップの端部にまたはそこに隣接して設けられて乳児の首のまわりによだれかけを調整可能に留めることができる。補助の留め手段が開口部に隣接して本体部分内または本体部分上に形成される。これによって、本体部分を巻上げると、ストラップ上の留め手段が本体上の補助の留め手段と共働して、よだれかけを巻上げられた状態で保持する。
【００１１】
そのようなよだれかけは、旅行または保管のために、容易に巻上げて小型のサイズにし、保持できることが理解されるであろう。
【００１２】
ストラップ上の留め手段は、他方のストラップの対応する複数の開口部のうちのどれか１つに受入れられるように適合される留め具をストラップ上に含むことが好ましく、補助の留め手段は、本体部分が巻上げられた状態で留め具を受入れるように適合される開口部を本体部分に含むことが好ましい。
【発明を実施するための最良の形態】
【００１３】
好ましい実施例の説明
図１および図２を参照すると、図示のよだれかけは、熱可塑性エラストマー（ＴＰＥ）、シリコンゴム、軟質ＰＶＣ等の単一のシートから一体成形される。
【００１４】
よだれかけは、本体部分２、および乳児の首を受入れるための実質的に円形の開口部８を規定するストラップ４、６の対を含む。スタッド１０（図１には図示せず）は、ストラップ４の前面からその１つの端部に隣接して突出し、他方のストラップ６の一連の開口部１２のうちの１つに受入れられて、よだれかけを乳児の上に従来通りに保持するように適合される。
【００１５】
本体部分２の前面は、洗浄しやすいように一般になめらかである。しかしながら、本体部分２の裏面には、そこから直立する突起の対称的な配列１４が設けられ、各突起は図１に見られるように円形の構成であり、図２に見られるように深さは浅い。
【００１６】
そのような配置は、よだれかけの裏面と乳児の皮膚との接触面積を低減し、かつよだれかけと乳児の皮膚との間で空気の流れが循環できるようにして、汗が発生する可能性を低減する。これによって、乳児がアレルギー反応を起こす可能性が低減される。
【００１７】
よだれかけの裏面の盛り上がったパターンは、いくつかの異なる形のどれをとってもよく、本体部分２に対称的に配置されてもされなくてもよく、突起１４は円形でなくてもよい。しかしながら、すべての場合、乳児の皮膚に隣接して空気が流れることが可能であり、極端な場合に汗が発生しても、よだれかけの裏面の浮き彫りは、汗を捕えるまたは保持することはなく、それが排出されるようにする。
【００１８】
よだれかけは、本体部分の下方領域に一体成形された食べこぼし収集用受け部を組込んでもよい。
【００１９】
図３は、図１および図２のものと同じ基本的な構成の柔軟なよだれかけであり、ストラップ４、６をともに留めるためのスタッドまたは留め具１０を示す。よだれかけの本体部分２に、開口部８の下方領域の下方であってかつ本体部分２の実質的に中央に開口部１６が形成され、そこにスタッド１０が受入れられる。
【００２０】
具体的には、保管または持ち運びのため、よだれかけは、そのストラップ４、６をともに留めて、本体部分２の底端部からその前面にわたって巻上げ、図３に示される状態にすることができる。この巻上げられた状態では、スタッド１０の上部は開口部１６と整列し、スタッドは、この開口部を通って本体部分２の裏から表に挿入することができ、よだれかけを小型の状態に保持する。
【００２１】
ストラップ４、６の間の留め手段は、よだれかけを巻上げた状態で保持することのできるスタッドおよび開口部以外の手段であってもよい。
【００２２】
この発明によるよだれかけは、熱可塑性射出成形による従来の製造技術に適しており、突起１４は製造での困難を避けるために比較的浅いため、都合がよい。
【図面の簡単な説明】
【００２３】
【図１】この発明による乳児用よだれかけの背面図である。
【図２】図１のよだれかけの本体部分の一部の垂直断面図である。
【図３】部分的に巻上げられた状態のこの発明によるよだれかけの図である。
【図１】
2005513285.tif 000003
【図２】
2005513285.tif 000004
【図３】
2005513285.tif 000005
【国際調査報告】
2005513285.tif 000006
2005513285.tif 000007
2005513285.tif 000008